(57)【特許請求の範囲】
【請求項１】
スライドして開閉動作する開閉体であって開閉可能な通過口を有する開閉体と、該開閉体の閉鎖方向端部側に配設されて該開閉体よりも閉鎖方向側の物体を感知する物体感知装置と、前記通過口を開閉する扉部とを備え、
前記扉部を、前記通過口を開閉するように前記開閉体に対し吊下げ状に設け、
前記物体感知装置の感知信号を開閉体開放方向側の制御部へ送信するためのコードを、少なくとも前記通過口の開放時に、該通過口に対し干渉しないようにした開閉装置であって、
前記コードは、前記扉部の開動に伴って前記通過口に干渉しない位置へ移動するように、前記扉部の表部に対し交差するように配設されるとともに、張力によって切り離し可能な接続部材により接続されていることを特徴とする開閉装置。
【請求項２】
前記接続部材は、前記扉部よりも下側に設けられていることを特徴とする請求項１記載の開閉装置。
【発明の詳細な説明】
【技術分野】
【０００１】
本発明は、スライドして開閉する開閉体に避難等のための通過口を具備するようにした開閉装置に関し、特に可撓性材料から開閉体を構成している所謂スクリーンシャッター装置として好適な開閉装置に関するものである。
【背景技術】
【０００２】
従来、この種の発明には、例えば特許文献１に記載されたもののように、可撓性シート材料からなる開閉体（開閉体本体１０）の下端側に、扉部（扉シート３０）により開閉される通過口（開口部１１）を備え、開閉体（開閉体本体１０）が閉鎖されている場合であっても、非常時等には扉部（扉シート３０）を開放して通過口（開口部１１）を通過できるようにした所謂スクリーンシャッター装置がある。
このような従来のスクリーンシャッター装置では、開閉体が比較的軽量で柔軟性のある可撓性シート材料から構成されているため、万が一、閉鎖動作中の開閉体が、その下方側の物体に当接したとしても、当接された物体に対する衝撃が比較的小さくて済む。
しかしながら、近年では、上記従来のスクリーンシャッター装置に対しても、より安全性を向上することが求められている。特に、開閉体の幅方向寸法が比較的長い開閉装置においては、開閉体全体の重量が大きくなり、物体に当接した際の衝撃も大きくなるため、その当接を回避する手段を備えることが好ましい。
【０００３】
そこで、上記従来のスクリーンシャッター装置における開閉体の閉鎖方向端部に、例えば特許文献２に記載された障害物感知装置を具備することが提案される。
前記のような障害物感知装置を備えた開閉装置では、その障害物感知装置による感知信号を制御部に無線送信する態様と、有線送信する態様とが考えられる。
前者の態様では、赤外線方式とした場合には例えば煙等による誤作動のおそれがあり、また電波方式とした場合にはノイズ等の悪影響を受けるおそれがある。
そこで、後者のように感知信号をコードによって有線送信する態様とするのが好ましいが、この場合には、通過者や物体等が通過口を通過する際に前記コードが邪魔にならないように、工夫を要する。
【特許文献１】特開２００４−２０４５３１号公報
【特許文献２】特開平９−１７０３８９号公報
【発明の開示】
【発明が解決しようとする課題】
【０００４】
本発明は上記従来事情に鑑みてなされたものであり、その課題とする処は、物体感知信号を送信するためのコードが通過口を通過する通過者や物体等の邪魔になるのを防ぐことができる開閉装置を提供することにある。
【課題を解決するための手段】
【０００５】
上記課題を解決するための技術的手段では、スライドして開閉動作する開閉体であって開閉可能な通過口を有する開閉体と、該開閉体の閉鎖方向端部側に配設されて該開閉体よりも閉鎖方向側の物体を感知する物体感知装置と、前記通過口を開閉する扉部とを備え、前記扉部を、前記通過口を開閉するように前記開閉体に対し吊下げ状に設け、前記物体感知装置の感知信号を開閉体開放方向側の制御部へ送信するためのコードを、少なくとも前記通過口の開放時に、該通過口に対し干渉しないようにした開閉装置であって、前記コードは、前記扉部の開動に伴って前記通過口に干渉しない位置へ移動するように、前記扉部の表部に対し交差するように配設されるとともに、張力によって切り離し可能な接続部材により接続されていることを特徴とする。
【発明を実施するための最良の形態】
【０００６】
第一の形態では、スライドして開閉動作する開閉体であって開閉可能な通過口を有する開閉体と、該開閉体の閉鎖方向端部側に配設されて該開閉体よりも閉鎖方向側の物体を感知する物体感知装置とを備えた開閉装置において、前記物体感知装置の感知信号を開閉体開放方向側の制御部へ送信するためのコードを、少なくとも前記通過口の開放時に、該通過口に対し干渉しないようにした。
ここで、上記形態に係わる開閉装置は、開閉体により空間を仕切ったり開放したりする開閉装置であればよく、開閉体を巻取軸により巻き取ったり繰り出したりすることで開閉させる態様や、開閉体を巻取ることなく繰り出したり収納したりする態様等を含む。
【０００７】
また、上記開閉体には、複数のスラットやパイプを開閉方向へ連設してなる態様や、単数もしくは複数のパネルや、シート状物、ネット状物を開閉方向へ設けてなる態様、あるいはスラット、パネル、パイプ、シート状物、ネット状物等を適宜に組み合わせてなる態様等が挙げられるが、開閉体重量の軽量化を図り開閉スピードを向上して且つ閉鎖性を良好に維持する観点から、特に好ましくは可撓性のシート状物からなる態様とする。
また、この開閉体の動作方向は、上下方向や、水平方向、斜め方向等とすることが可能である。
【０００８】
また、上記通過口とは、閉鎖状態から開放されることで人や物等の通過物を通過可能にするものであればよい。
この通過口の具体例としては、人や物等が通過可能な開口部を上記開閉体に設けるとともに、該開口部を覆うようにして開閉動作可能な扉部を設けた態様が挙げられる。
【０００９】
また、この通過口の他例としては、上記開閉体を可撓性シート状物から構成し、この開閉体に切り込み部（スリット）を形成し、該切り込み部が通過物の通過の際に押し広げられるようにした態様や、前記開閉体に略上下方向の切り込み部と、該切り込み部の下端側に連続する略左右方向の切り込み部とを設け、これら両切り込み部に沿う部位が通過物の通過に伴い略三角形状に押し広げられるようにした態様等が挙げられる。
なお、上記通過口を前記他例のように切り込み部に沿う部位が開放される構成とした場合には、その切り込み部に沿う部位が扉部として機能するため、別途扉部を設ける必要はないが、より閉鎖性を向上するためには、前記切り込み部に重ね合わせるようにして、別途扉部を設けてもよい。
【００１０】
また、上記物体感知装置の具体例としては、上記開閉体の閉鎖方向端部側に、開閉体開閉方向へ移動可能な可動部材を設け、該可動部材が物体との当接により相対的に開閉体開放方向へ移動するのを、接触式センサ（例えば、テープスイッチ等の感圧センサやマイクロスイッチ等）や、非接触式センサ（例えば、マグネット等の近接センサや、光電センサ、超音波センサ、レーダー装置等）により感知するようにした構成が挙げられる。
また、上記物体感知装置の他例としては、上記開閉体の閉鎖方向端部側に、物体感知媒体を放出する放出部と、放出される該物体感知媒体を捕捉する捕捉部とを備え、物体感知媒体が物体により遮られるのを感知するようにした構成としてもよい。なお、前記放出部および捕捉部の具体例としては、発光部と受光部とからなる光電センサや、超音波センサ、レーダー装置等が挙げられる。
【００１１】
また、上記コードは、詳細に説明すれば、通電可能な電線と該電線の周囲の被覆部材とからなる構成(ケーブルとも呼称される)であって、上記物体感知装置の感知信号を開閉体開放方向側の制御部へ送信するように電気配線される。
このコードは、感知信号を送信できるものであれば任意であり、他例としては光ファイバー線等であってもよい。
【００１２】
また、「少なくとも前記通過口の開放時に、該通過口に対し干渉しないように」という構成には、例えば、上記コードと上記通過口とを開閉体幅方向において干渉しないように配置することで、これらコードと通過口が常時干渉しないようにした態様や、上記通過口を開放するのに伴って上記コードが上記通過口に対し干渉しない位置へ移動する態様等を含む。
【００１３】
また、第二の形態では、上記コードと上記通過口とを開閉体幅方向において干渉しないように配置した。
【００１４】
また、第三の形態では、上記コードを開閉体幅方向の端部側に配置した。
【００１５】
また、第四の形態では、上記開閉体の幅方向の端部側を囲み、該開閉体を開閉方向へ案内するガイドレールを備え、上記コードを前記ガイドレール内に配置した。
【００１６】
また、第五の形態では、上記通過口を開閉する扉部を備え、上記コードは、前記扉部の開動に伴って上記通過口に干渉しない位置へ移動するように設けられている。
【００１７】
ここで、この第五の形態には、例えば、上記扉部の開動に連動して上記コードを上記通過口に干渉しない位置へ移動させるようにした態様や、開動する上記扉部に接触されることで上記コードが切り離されて上記通過口に干渉しない位置へ移動するようにした態様等を含む。
【００１８】
また、第六の形態では、上記扉部は、上記通過口を開閉するように上記開閉体に対し吊下げ状に設けられ、上記コードは、上記扉部の表部に対し交差するように配設されるとともに、張力によって切り離し可能な接続部材により接続されている。
【００１９】
ここで、上記接続部材は、上記扉部の開動により上記コードが引っ張られた際に、その張力によって切り離し可能な部材であればよく、例えば、二つの部材を接続してなるコネクタ等とすればよい。
【００２０】
なお、本明細書中において「開閉体幅方向」とは、開閉体の開閉方向と略直交する方向であって、上記開閉体の厚さ方向ではない方向を意味する。ここで、「上記開閉体の厚さ方向」とは、閉鎖状態の上記開閉体の厚さ方向を意味する。
また、本明細書中において「開閉体開閉方向」とは、開閉体が空間を仕切ったり開放したりするためにスライドする方向を意味する。
【００２１】
上記形態は、以上説明したように構成されているので、以下に記載されるような作用効果を奏する。
第一の形態によれば、開閉体が閉鎖されている状態で通過者や物体等が通過口を通過しようとした場合、少なくとも通過口の開放時にはコードが通過口に干渉しないため、コードが通過口を通過する通過者や物体等の邪魔になるのを、防ぐことができる。
【００２２】
更に、第二の形態によれば、コードが通過口に対し開閉体幅方向に干渉しないように配置されているため、コードが通過口を通過する通過者や物体等の邪魔になるのを、より確実に防ぐことができる。
【００２３】
更に、第三の形態によれば、コードが開閉体幅方向の端部側に配置されているため、通過口をコードにより邪魔され難い配置とし易い。
【００２４】
更に、第四の形態によれば、コードが通過口を通過する通過者や物体等の邪魔になるのを、一層確実に防ぐことができる。
【００２５】
更に、第五の形態によれば、通過口を通過する際に扉部を開動すると、その開動に伴って、コードが通過口に干渉しない位置へ移動する。
よって、物体感知信号を送信するためのコードが通過口を通過する通過者や物体等の邪魔になるのを、防ぐことができる。
【００２６】
更に、第六の形態によれば、通過口を通過する際に扉部を開動すると、その開動に伴って、コードが引っ張られて接続部材の部分で切り離される。
よって、扉部の開動に伴ってコードを通過口に干渉しない位置に移動させる構成を、生産性の良好な具体的構造でもって提供することができる。
【００２７】
以下、上記形態の具体例を図面に基づいて説明する。
本実施の形態による一例は、住宅やビル、倉庫、工場、地下街、トンネル、車両の荷台等の構築・構造物の開口部分や、構築・構造物の内部に配設され、前記開口部分を開閉したり、構築・構造物内部の空間を仕切ったり開放したりする開閉装置であって、特に、火災などが発生した際に、煙の拡散や延焼を防止するのに好適なスクリーンシャッター装置として説明する。
【００２８】
開閉装置１は、シート状の開閉体１０、該開閉体１０の幅方向の端部を囲み開閉方向へ案内するガイドレール２０、開閉体１０を繰り出したり巻取ったりする巻取装置３０等を備えている。（図１参照）
【００２９】
開閉体１０は、通過可能な通過口１１ａを下端側に有する開閉体本体１１と、通過口１１ａを開閉可能にすべく開閉体本体１１に対し吊下げ状に設けられた扉部１２とを備え、開閉体本体１１及び通過口１１ａの下端部には、開閉体幅方向へわたって座板部材１４が接続されている。
なお、通過口１１ａは、図示例によれば、非常時の通過性を良好にするために、開閉体本体１１における幅方向の略中央側に配設されているが、後述する物体感知装置１４ｄのコード１４ｄ３に対し干渉しないようにすれば、例えば開閉体本体１１における幅方向の一端側に寄せて配置してもよい。
【００３０】
開閉体本体１１は、例えば、ガラスクロスやシリカクロス等の難燃性布地や、フッ素加工を施した塩化ビニル樹脂シート材、ガラス繊維を含んだ合成樹脂シート材等、難燃性を有する可撓性シート材からなる。
この開閉体本体１１は、図示例によれば、開閉体幅方向に長い略矩形帯状のシート材を、上下方向に複数連接するように縫い付けることで構成される。
なお、この開閉体本体１１の他例としては、複数のシート材を開閉体幅方向や斜め方向へ縫い付けてなる態様や、略矩形状に裁断された一枚のシート材からなる態様等としてもよい。
【００３１】
そして、前記開閉体本体１１の下端側には、人や物などの物体を通過可能な通過口１１ａが形成されている。この通過口１１ａは、図示した好ましい一例によれば、略矩形状を呈するが、円形状や、楕円形状、三角形状、他の多角形状等としてもよい。
また、この開閉体本体１１の幅方向の端部には、ガイドレール２０内に係合することで、開閉体１０がガイドレール２０から開閉体幅方向へ抜けてしまうのを防止する抜止部材（図示せず）が、開閉体開閉方向にわたって複数配設されている。
【００３２】
また、扉部１２は、開閉体１０の表側と裏側とにそれぞれ具備され、図示例によれば略矩形状に形成されている。
この扉部１２は、開閉体本体１１と略同材質の可撓性シート材からなり、開閉体本体１１同様に、複数のシート材を連接し縫い付けて構成してもよいし、裁断された一枚のシート材から構成してもよい。
また、各扉部１２の下端側は縦断面袋状に形成され、その袋状の部分には、扉部１２の自重による閉動作を補助するように、錘部材（図示せず）を幅方向へわたって内在している。
そして、各扉部１２は、その上端側が、通過口１１ａの上縁に沿うようにして開閉体本体１１に縫付けられ止着されるとともに、この止着部以外の端部を、通過口１１ａの周囲の面に重ね合わせている。
【００３３】
また、座板部材１４は、開閉体１０が閉鎖動作する際に、自重によって開閉体１０を下方へ引っ張り、地面や床面等に当接される部材であり、開閉体本体１１及び通過口１１ａの下端側に、開閉体幅方向の略全長にわたって接続されている。
この座板部材１４は、より詳細に説明すれば、図２に示すように、単数もしくは複数の錘体１４ａを、縦断面略枠状の枠部材１４ｂ，１４ｃ内で束ねて一体的に構成しており、その下端側には、物体感知装置１４ｄを具備している。
【００３４】
なお、図示例によれば、前記枠部材は、符号１４ｂと１４ｃで示す二部材から構成されているが、一部材あるいは三以上の部材から構成してもかまわない。
また、図示例によれば、座板部材１４は、開閉体幅方向へ一体的な構成としているが、複数の部材を開閉体幅方向へ連設してなる構成としてもよい。
【００３５】
また、物体感知装置１４ｄは、前記枠部材１４ｃに係合して開閉体開閉方向へスライド可能な可動部材１４ｄ１や、該可動部材１４ｄ１と前記枠部材１４ｂとの間に配置される感知体１４ｄ２等からなり、感知体１４ｄ２による感知信号を、コード１４ｄ３によって巻取装置３０内の制御部３１へ送信するようにしている。
【００３６】
可動部材１４ｄ１は、図示例によれば、開閉体幅方向へわたる断面略コ字枠状の部材であり、枠部材１４ｂの両下端縁に係合して、開閉体開閉方向へスライドする。
また、感知体１４ｄ２は、図示例によれば、開閉体幅方向へわたるテープスイッチであり、可動部材１４ｄ１と枠部材１４ｂとに挟まれて押圧されることで、内部接点を開から閉に変化させる。この感知体１４ｄ２は、例えば、マイクロスイッチ等の他の接触式スイッチや、光電センサなどの非接触スイッチ等に置換することが可能である。
【００３７】
前記物体感知装置１４ｄによれば、図２（ａ）に示すように、可動部材１４ｄ１がその閉鎖方向側の物体から離れている状態では、感知体１４ｄ２の内部接点が開状態となる。また、図２（ｂ）に示すように、可動部材１４ｄ１がその閉鎖方向側の物体や当接対象部位ｐ（例えば床面や地面、枠部材など）に当接した場合には、感知体１４ｄ２の内部接点が閉状態となり、その接点信号が巻取装置３０の制御部３１に送信される。
【００３８】
上記物体感知装置１４ｄの感知信号を送信するためのコード１４ｄ３は、枠部材１４ｂの下縁に設けられた貫通孔１４ｂ１を通って外部に露出され、座板部材１４および開閉体本体１１の表面または裏面に這わせられて、巻取装置３０内へ導かれている。
このコード１４ｄ３は、通過口１１ａを通過する通過者や物体等の邪魔にならないように、開閉体本体１１における幅方向の一端側に寄せられ、その先端部分が制御部３１に対し電気的に接続されている。
そして、このコード１４ｄ３の開閉体開放方向側の中途部分は、コード収納装置４０により支持されている。
なお、このコード１４ｄ３は、開閉体本体１１における幅方向の右端側と左端側との何れに配置してもよいが、巻取装置３０の制御性を向上し、配線の繁雑さを避ける観点より、巻取装置３０の電動駆動源（図示せず）側、あるいは該電動駆動源を制動するためのブレーキ装置（図示せず）側とするのが好ましい。
【００３９】
コード収納装置４０は、図１に示す一例によれば、巻取装置３０内に回動自在に吊り下げられて、その上半部側にコード１４ｄ３が掛けられるようにした吊り滑車４１と、コード１４ｄ３における吊り滑車４１と制御部３１との間の部分に掛けられた動滑車４２と、該動滑車４２の支軸に一体的に吊り下げられた垂体４３とから構成される滑車機構であり、動滑車４２及び垂体４３をガイドレール２０内の空間に配置している。
このコード収納装置４０によれば、開閉体１０が開放動作すると、動滑車４２及び垂体４３が徐々に下方へ移動し、コード１４ｄ３の余分となる部分がガイドレール２０内に収納されることになる。
【００４０】
また、巻取装置３０は、開閉体１０を巻取ったり繰り出したりする巻取軸３２や、該巻取軸３２を回転させる電動駆動源（図示せず）、該電動駆動源を制動するブレーキ装置（図示せず）、該電動駆動源を制御する制御部３１等を、収納ケース３３内に具備してなる。
【００４１】
而して、上記構成の開閉装置１によれば、通過口１１ａとコード１４ｄ３とが開閉体幅方向に干渉しないように配置されているため、コード１４ｄ３が、扉部１２を開放し通過口１１ａを通過しようとする通過者や物体等の邪魔になるのを、防ぐことができる。
【００４２】
次に、本発明に係わる他の具体例について説明する。なお、以下に示す開閉装置において、上記開閉装置１と略同様の箇所については、上記開閉装置１と同一の符号を付けることで、重複する詳細説明を省略する。
【００４３】
図３に示す開閉装置２は、物体感知装置１４ｄのコード１４ｄ３を、ガイドレール２０内の空間に挿通させて、コード収納装置４０へ導くようにしたものである。
この開閉装置２によれば、コード１４ｄ３が殆ど露出されないため、コード１４ｄ３が悪戯等により引っ張られてしまうのを防ぐことができる。しかも、通過口１１ａ及び扉部１２は、コード１４ｄ３と干渉することがないため、左右のガイドレール２０，２０間であれば、何処にでも設置することが可能である。
【００４４】
また、図４に示す開閉装置３は、コード１４ｄ３を開閉体幅方向の一端側に寄せて配置するとともに、通過口１１ａ及び扉部１２を開閉体幅方向の他端側に寄せて配置し、更に、コード１４ｄ３をその開閉体開放方向側から巻取りリール式のコード収納装置５０によって巻き取るようにしたものである。
コード収納装置５０は、略円筒状の巻取体（図示せず）と、該巻取体を巻取り方向へ付勢する付勢部材（例えば、スプリングやぜんまいばね等）とを備え、開閉体１０の閉鎖動作に伴ってコード１４ｄ３を繰り出し、同開閉体１０の開放動作に伴って同コード１４ｄ３を巻き取るように構成されている。
この開閉装置３によれば、コード１４ｄ３と通過口１１ａ及び扉部１２との干渉を防ぐことができる上、余分なコード１４ｄ３を巻き取る構造を、省スペースに配設することができる。
【００４５】
また、図５に示す開閉装置４は、コード１４ｄ３を、開動した際の扉部１２に干渉されることで切り離される構造にするとともに、その切り離し後に通過口１１ａと干渉しない位置関係になるように配設している。
より詳細に説明すれば、コード１４ｄ３は、扉部１２に対し交差するように配設されるとともに、その交差範囲よりも下側の部分が、張力によって切り離し可能な接続部材６０によって接続されている。
そして、このコード１４ｄ３の開閉体開放方向側における巻取装置３０内には、上述したコード収納装置５０が配設され、コード１４ｄ３が該コード収納装置５０によって巻き取られるように構成してある。
【００４６】
コード１４ｄ３は、開閉体１０の閉鎖状態において、扉部１２の幅方向の略中央を上下方向へ交差するように配置され、物体感知装置１４ｄの感知体１４ｄ２とコード収納装置５０との間の長さを有する。そして、このコード１４ｄ３は、扉部１２よりも若干下側の部分が切断されている。
接続部材６０は、オス側部材とメス側部材とを離脱可能に接続してなるコネクタであり、そのオス側部材とメス側部材との内の一方が、コード１４ｄ３における感知体１４ｄ２側の切断端部に接続され、他方がコード１４ｄ３におけるコード収納装置５０側の切断端部に接続されている。
【００４７】
上記構成の開閉装置４によれば、開閉体１０が閉鎖されている状態で、扉部１２を開動すると、その開動する扉部１２に接触して引っ張られることで、接続部材６０がオス側部材とメス側部材とに分離される。したがって、同時にコード１４ｄ３も、扉部１２の下側の部分で二つに分離されることになる（図６（ａ）（ｂ）参照）。
よって、コード１４ｄ３が通過口１１ａを通過しようとする通過者や物体等の邪魔になるのを、防ぐことができる。
【００４８】
なお、上記開閉装置４（図５及び図６参照）によれば、接続部材６０の分離がスムーズに行われるように、該接続部材６０を扉部１２の下側に配置したが、該接続部材６０を扉部１２の表部に沿う位置や、扉部１２よりも上側等に配置することも可能である。
【００４９】
また、上記開閉装置４によれば、コード１４ｄ３が接続部材６０の分離により切り離されて通過口１１ａと干渉しない位置へ移動する構造としたが、他の態様としては、コード１４ｄ３を、扉部１２の開動に伴って、切り離すことなく開閉体幅方向へ移動させる構造としてもよい。
【図面の簡単な説明】
【００５０】
【図１】本発明に係わる開閉装置の一例を示す正面図である。
【図２】同開閉装置を示す要部断面図であり、（ａ）は物体感知装置の非感知状態を示し、（ｂ）は物体感知装置の感知状態を示す。
【図３】本発明に係わる開閉装置の他例を示す正面図である。
【図４】本発明に係わる開閉装置の他例を示す正面図である。
【図５】本発明に係わる開閉装置の他例を示す正面図である。
【図６】図５に示す開閉装置における要部断面図であり、（ａ）は扉部が閉鎖された状態を示し、（ｂ）は扉部の開動により接続部材が分離された状態を示す。
【符号の説明】
【００５１】
１，２，３，４：開閉装置
１０：開閉体
１１ａ：通過口
１２：扉部
１４ｄ：物体感知装置
１４ｄ３：コード
２０：ガイドレール
３０：巻取装置
３１：制御部
４０，５０：コード収納装置
６０：接続部材
【図１】
0004795774.tif 000002
【図２】
0004795774.tif 000003
【図３】
0004795774.tif 000004
【図４】
0004795774.tif 000005
【図５】
0004795774.tif 000006
【図６】
0004795774.tif 000007